(57)【要約】【課題】  複数段の放出口６０をもち、しかもまた、それらの放出口６０の大きさを変更可能な撒き餌装置１０の提供。【解決手段】  撒き餌装置１０は、撒き餌入口部２０、放出部３０、重り部５０を備える。撒き餌入口部２０は、入口開口１４を形作る容器本体１８と、ふた１６とを含む。入口開口１４から内部空間１２に撒き餌を入れる。内部に入れた撒き餌は、放出部３０の放出口６０から出る。放出部３０は、複数のリング部材３２と、各リング部材を互いに連結する金属線４０とを含む。ねじロッド７０が、放出部３０の放出口６０の高さを調節可能にしている。【選択図】      図２
2005160389.tif 000002
【特許請求の範囲】
【請求項１】
軸線方向に延びる内部空間を区画し、その内部空間に撒き餌を収容するための容器と、その容器の軸線方向の一部領域を構成しつつ、前記内部空間に収容した撒き餌を外部に放出するための放出部とを備える撒き餌装置であって、前記放出部が次の各構成要素を含み、撒き餌を放出する放出口が複数段であり、しかも、放出口の大きさが変更可能であることを特徴とする、複数段の放出口をもつ撒き餌装置。
Ａ．前記軸線方向に互いに所定間隔をもって配置する複数のリング部材
Ｂ．前記の各リング部材とは別の部品であり、それらの各リング部材を連結し、しかも、隣り合うリング部材を前記軸線方向に離そうとする力を与えるスプリング手段
Ｃ．前記容器の軸線方向に沿い、その両端部が容器側の固定部分と相互に結合することにより、各リング部材間の間隔を調節することができるねじロッド
【請求項２】
前記容器は、前記放出部のほか、撒き餌を前記内部空間に入れるための撒き餌入口部、および前記容器に重みを与えるための重り部を備える、請求項１の撒き餌装置。
【請求項３】
前記隣り合うリング部材を前記軸線方向に離そうとする力は、釣竿をあおる際の慣性力に負けるような大きさである、請求項１の撒き餌装置。
【請求項４】
前記スプリング手段は、弾性をもつ複数の金属線であり、２本を互いにクロスさせ編むようにして隣り合うリング部材を互いに連結する、請求項１の撒き餌装置。
【請求項５】
前記複数のリング部材の表面が、蛍光色、外光を受けて光輝く金属色、あるいは夜光色のいずれかを呈している、請求項１の撒き餌装置。
【発明の詳細な説明】
【技術分野】
【０００１】
この発明は、魚釣り用の撒き餌装置に関し、特には、撒き餌を放出する放出口を上下方向に複数段とし、しかもまた、放出口の大きさを変更可能とした技術に関する。
【背景技術】
【０００２】
撒き餌装置に用いる餌（一般に、「撒き餌」あるいは「こまえ」という）は、オキアミやアミエビなど大小さまざまである。そこで、撒き餌を適正に放出するため、撒き餌を放出する放出口の大きさを調節可能にすることが望まれる。放出口の大きさを調節可能にした技術自体は、次のようにすでに知られている。
【０００３】
【特許文献１】特開平１１−１２７７４９号公報  この特許文献１は、放出口（１８）の一方の縁を調節筒部材（２４）で区画し、その調節筒部材（２４）のねじ回転を利用して、放出口（１８）の大きさを調節することを示している。
【０００４】
【特許文献２】特開平１０−１１７６５３号公報  この特許文献２は、内ケ−ス（２）と外ケ−ス（３）とがはまり合い、側部に放出口（６，８）をもつ撒き餌容器（１）を示している。内ケ−ス（２）と外ケ−ス（３）とが上下に動くことにより、放出口が開閉する構造であり、その放出口の大きさを調節するため、ナット（１４）およびボルト（１３）を含む調節部を備えている。
【０００５】
【特許文献３】特開平９−１５４４６２号公報  この特許文献３は、特許文献１と同様に、調節リング（２８）のねじ回転により放出口の大きさを調節することを示している。
【発明の開示】
【発明が解決しようとする課題】
【０００６】
これらの今までの技術によれば、調節部材のねじ回転によって放出口の大きさを変更可能であり、大小大きさの異なる撒き餌を適用することができるし、あるいは、撒き餌の放出量を調整することができる。しかし、放出口の大きさを定める部材は、一旦調整あるいは変更すると、次の調節を行うまでの間、動くことなく固定されたままである。そのため、撒き餌が放出口の部分で出が悪くなったときなどに、詰まりを生じ撒き餌が適正に放出されなくなるおそれがある。特に、放出口の大きさを調節可能な今までのものでは、放出口が上下方向に見て一段だけであり、適度な放出量にすることと、放出口の部分における詰まりを有効に防ぐこととを両立させることは大変難しい。
【０００７】
この発明は、それら放出量と詰まりとの両方を考慮しつつ、第１には、放出口が複数段であり、しかもまた、それらの放出口の大きさが変更可能である、複数段の放出口をもつ撒き餌装置を提供することを目的とする。
また、この発明は、集魚の上で効果的であり、一回分の撒き餌の量を少な目にすることができる撒き餌装置を提供することを他の目的とする。
この発明のさらに他の目的は、以下の説明から明らかになるであろう。
【課題を解決するための手段】
【０００８】
この発明で前提とする撒き餌装置は、軸線方向に延びる内部空間を区画し、その内部空間に撒き餌を収容するための容器と、その容器の軸線方向の一部領域を構成しつつ、容器の内部空間に収容した撒き餌を外部に放出するための放出部とを備える。そして、この発明では、容器内に収容した撒き餌を外部に放出する放出部を、次のＡ、ＢおよびＣの各構成要素を含むように構成する。
Ａ．容器の軸線方向に互いに所定間隔をもって配置する複数のリング部材
Ｂ．それらの各リング部材とは別の部品であり、各リング部材を連結し、しかも、隣り合うリング部材を容器の軸線方向に離そうとする力を与えるスプリング手段
Ｃ．容器の軸線方向に沿い、その両端部が容器側の固定部分と相互に結合することにより、各リング部材間の間隔を調節することができるねじロッド
【０００９】
撒き餌を収容するための容器は、一般的には、細長い筒型の形状であり、その断面形状は円や多角形である。容器は、その軸線方向に沿って見ると、３つの部分に区画できる。一つは、撒き餌を内部空間に入れるための撒き餌入口部、また一つは、容器に重みを与えるための重り部、残りの一つは、内部（つまり、内部空間）に収容した撒き餌を外部に放出する放出部である。好ましい形態では、容器の上部に撒き餌入口部、下部に重り部、それら重り部と撒き餌入口部との間に放出部（放出口が複数段になった放出部）がそれぞれある。
【００１０】
また、スプリング手段によるばね力は、釣竿をあおる際の慣性力に負けるような大きさであり、比較的に小さな力である。それに加えて、放出口から撒き餌を適度に放出させることを考えると、スプリング手段としては、余分なスペ−スを必要としないばね材料を利用するのが好ましい。最も好ましくは、弾性をもつ金属線（たとえば、細いピアノ線）を利用し、２本の金属線を互いにクロスさせ編むようにして上下に隣り合うリング部材を互いに連結すると良い。そうすれば、それら複数本の金属線によって隣り合うリング部材に所望の大きさの力（圧縮力）を与えると同時に、適度な大きさの編み目状の撒き餌放出口を形作ることができる。
【００１１】
さらに、上下に間隔をおいて配置する複数のリング部材の表面を、塗料のコ−ティングやテ−プ材料の張付けなどにより、蛍光色、外光を受けて光輝く金属色、あるいは夜光色などにすることができる。魚は、それらの表面色を呈するものに集まる習性があるので、撒き餌による集魚効果をより有効に行うことができる。特に、複数のリング部材は、釣り人の意思によって（つまりは、釣竿をあおることによって）上下に動かすことができるので、その動きも相俟って集魚効果は一層高まる。また、隣り合うリング部材が相対的に動くことにより、放出口に撒き餌が詰まる問題を未然に防ぐことができるようになる。
【実施例】
【００１２】
図１は、この発明の一実施例である撒き餌装置の斜視図であり、また、図２は、上部のふたの部分を開いた形態の分解斜視図である。
【００１３】
撒き餌装置１０は、細長い円筒型の容器の形態であり、容器の内部に、軸線方向に延びる内部空間１２を区画している。その内部空間１２は、撒き餌を収容する空間である。また、容器の形態の撒き餌装置１０は、軸線方向に沿って３つの部分に区画される。上部に位置するのは、撒き餌を入れるための入口開口１４、および入口開口１４を閉じるふた１６を含む撒き餌入口部２０である。その撒き餌入口部２０の下が、この発明のポイントとなる放出部３０であり、軸線方向に互いに所定間隔をもって配置した複数のリング部材３２と、それら複数のリング部材３２を連結する複数本（ここでは、８本）の金属線（ピアノ線）４０とを備える。リング部材３２および金属線４０、ならびにそれらの連結方法については、後でもう少し具体的に説明する。
【００１４】
さらに、放出部３０の下であり、容器の最も下部が、内部に重り（鉛など）を入れた重り部５０である。重り部５０は、ド−ム形状の底部材５２と、円盤形状の上部材５４と、内部の重りとから構成される。
【００１５】
さて、上部の撒き餌入口部２０を見ると、取付けおよび取外し可能なふた１６は、筒を斜めに二分割したスコップ形状であり、両側に傾斜した２つの辺部分１６ａ，１６ｂをもつ。そして、ふた１６がかぶさる容器本体１８も、ふた１６と同様に傾斜した辺部分１８ａ，１８ｂをもち、それだけに入口開口１４は大きい。内部空間１２に撒き餌を入れるとき、スコップ形状のふた１６で撒き餌を掬い上げて、入口開口１４から中に落とし込むことができる。
【００１６】
ふた１６は、円筒の一部を構成する側壁部材１６１と、ド−ム形状の屋根１６２とから構成される。側壁部材１６１は、その内壁面から中心に延びる支持板１６３を一体に支持し、その支持板１６３上に、揺動レバ−１６５およびフック１６７が揺動可能に支持されている。ふた１６の屋根１６２に、中心から周辺まで延びる（つまり、径方向に延びる）スリット１６２ｓがある。揺動レバ−１６５は、下端１６５ｄがピン１６３ｐによって支持板１６３に回転可能に支持され、上端１６５ｕはスリット１６２ｓを通り外部に出ている。ふた１６の外部に位置する揺動レバ−１６５の上端１６５ｕには、リング１６８がある。このリング１６８は、揺動レバ−１６５をスリット１６２ｓに沿って揺動させる際の摘まみであり、また、釣り糸を連結する部分でもある。一方、フック１６７は、一端１６７ａが揺動レバ−１６５の下端１６５ｄに固定され、中間部はガイド部材１６９のガイド孔に移動可能にはまり合っている。フック１６７は、揺動レバ−１６５が矢印Ｐ方向に揺動するに伴って、矢印Ｑ方向に揺動する。
【００１７】
フック１６７は、揺動に応じて、容器本体１８側のＵ型の止め部材１８２に引っ掛かり、ふた１６が外れないように容器本体１８側に固定する状態と、止め部材１８２から外れ、ふた１６を容器本体１８側から取外し可能にする自由な状態とに切換え可能である。フック１６７が矢印Ｑ方向に揺動して自由な状態になるとき、ふた１６を容器本体１８から容易に取り外すことができる。逆に、フック１６７を止め部材１８２に引っ掛けることによって、ふた１６を容器本体１８側に固定することができ、それにより入口開口１４を閉じた状態に保つことができる。入口開口１４を閉じるとき、ふた１６は、側壁部材１６１の下辺部分１６ｃが容器本体１８側の円弧形状の部材１８６の内周にはまり合う。
【００１８】
ふた１６が入口開口１４を閉じた状態は、撒き餌装置１０を海中に投げ込むときの状態である。そこで、その状態においては、揺動レバ−１６５を不要に動かないようにロックすることが好ましい。揺動レバ−１６５の動きを規制するいろいろな方法で揺動レバ−１６５をロックすることができる。ここでは、スリット１６２ｓの中心部における幅を他より少し大きくし、その幅の大きな部分では揺動レバ−１６５の動きを制限しないが、幅の小さい他の部分で揺動レバ−１６５の動きを制限するようにしている。そのため、揺動レバ−１６５は、下端１６５ｄの部分に長孔１６５２、上端１６５ｕに近い部分に溝１６５１をそれぞれ備える。揺動レバ−１６５は、ピン１６３ｐが長孔１６５２内の上部に位置するとき、矢印Ｐ方向に動くことが制限されロック状態になる。しかし、揺動レバ−１６５は、ピン１６３ｐが長孔１６５２内の下部に位置するときには、溝１６５１の部分がスリット１６２ｓに臨むため、スリット１６２ｓの内壁部に動きを制限されることなく、スリット１６２ｓに沿って揺動可能である。
【００１９】
容器本体１８の内壁には、上部にＵ型の止め部材１８２があるほか、その下方にア−ム部材１８４がある。下部のア−ム部材１８４は、側壁側から中心に向かって延びるア−ム本体１８４ａと、ア−ム本体１８４ａの端部のナット部１８４ｂとを含む。ナット部１８４ｂは、容器本体１８の中心に位置しており、軸線方向に延びる細長いねじロッド（ボルト）７０の一端がそこにねじ結合する。ねじロッド７０は、放出部３０および重り部５０を通して下方に延び、他端の頭部７２が重り部５０の底部外側に位置している。頭部７２には、円形のリング１７０がある。このリング１７０は、ねじロッド７０を回転させるための補助用具である。釣り人は、このリング１７０を摘んでねじロッド７０を回転し、頭部７２とナット部１８４ｂとの間の距離を変更することができる。なお、頭部７２のリング１７０については、潮が速い場合などに、追加的に用いる重りを取り付けるために用いることもできる。
【００２０】
図３は、複数のリング部材３２と金属線４０とを含む放出部３０を説明するための補助的な図である。図１および２に加えて、図３をも参照しながら、撒き餌の放出口を形作る放出部３０を説明しよう。５枚のリング部材３２は、直径がたとえば５ｃｍ程度のアルミニウム製である。それら５枚のうち、容器本体１８の下面に取り付けるものは、取付けを容易にするために他のものと少し構成を変えることもできる。５枚のリング部材３２は、重り部５０の上部材５４と相俟って、軸線方向に沿う５段の放出口６０を構成する。各放出口６０の高さは、たとえば１ｃｍほどである。通常は、各段の放出口６０の高さを一様にするが、若干の違いは許される。たとえば、一番上の放出口６０と、一番下の放出口６０との高さを他の段のそれよりも少し大きくすることができる。なぜなら、ねじロッド７０によって放出部３０の全長を調節し変化させるとき、一番上や一番下の放出口よりも、それらの中間に位置する放出口の高さの方がより大きく動くからである。別にいうと、隣り合うリング部材３２同士の動きが大きいものほど、撒き餌が詰まりにくいからである。  
【００２１】
図３が明らかにしているように、各段のリング部材３２を結合する金属線４０は、各リング部材３２がもつ４つの通し孔３２１，３２２，３２３，３２４を順次通るが、その場合、金属線４０は、通し孔を一段ごとに周方向にずらしている。たとえば、最初のリング部材３２では通し孔３２１、次のリング部材３２では通し孔３２２、さらに次のリング部材３２では通し孔３２３、その次のリング部材３２では通し孔３２４、そして、最後のリング部材３２では通し孔３２１のようにである。４つの通し孔３２１〜３２４ごとに各２本の金属線４０を、周方向にずらす方向を互いに反対にする。それによって、各段において、２本の金属線４０を互いにクロスさせ編むように構成する。結果として得る編み目が、撒き餌の放出口となる。
【００２２】
各金属線４０は、各リング部材３２を連結すると同時に、隣り合うリング部材３２の間の軸線方向の距離（間隔、放出口６０の高さ）を広げようとする力を与える。そこで、その力に対抗しながら、ねじロッド７０とナット部１８４ｂとのねじ結合を利用して、各段の放出口６０の高さを調節することができる。また、その力は、釣竿をあおる際の慣性力に負けるような大きさであるため、撒き餌装置１０を海中に投げ入れた後で、釣竿をあおることによって、隣り合うリング部材３２を相互に上下動させることができる。そのため、容器内の撒き餌は、今までのものとは異なり、放出口６０の部分で詰まることなく、適度の速さで有効に放出される。したがって、撒き餌を無駄に用いることがなくなる。
【００２３】
特に好ましい形態では、各リング部材３２の表面を、朝用の蛍光色、昼用の金属色、あるいは夜用の夜光色などにする。この点、複数のリング部材３２と金属線４０とを含む放出部３０の全体をユニット化し、釣り人の好み、あるいは釣の時期に応じて適宜交換可能にすることもでき、釣に別の楽しみを加えることができる。このような各リング部材３２の表面色は、もともと魚を集める傾向があり、特に、各リング部材３２を相互に動かすことができるので、集魚作用にすぐれる。したがって、撒き餌装置１０に入れる一回分の撒き餌の量を少な目にすることができ、経済的であるし、海を汚すことが少なく自然保護の観点からも好ましい。
【図面の簡単な説明】
【００２４】
【図１】この発明の一実施例を示す斜視図である。
【図２】ふたの部分を開いた形態の分解斜視図である。
【図３】放出部の構成を説明するための斜視図である。
【符号の説明】
【００２５】
１０  撒き餌装置
１２  内部空間
１４  入口開口
１６  ふた
１８  容器本体
２０  撒き餌入口部
３０  放出部
３２  リング部材
４０  金属線
５０  重り部
６０  放出口
７０  ねじロッド
【図１】
2005160389.tif 000003
【図２】
2005160389.tif 000004
【図３】
2005160389.tif 000005